(57)【特許請求の範囲】
【請求項１】
ユーザ固有パラメータに基づく擬似ランダム系列を用いて復調用参照信号系列を生成する生成部と、
前記ユーザ固有パラメータ及び前記復調用参照信号系列をユーザ端末に送信する送信部と、を有し、
前記復調用参照信号系列は、拡張ＰＤＣＣＨ（Physical  Downlink  Control  Channel）の復調に用いられ、
前記疑似ランダム系列は、拡張ＰＤＣＣＨ復調用のスクランブリング識別情報に基づくものであることを特徴とする無線基地局装置。
【請求項２】
前記拡張ＰＤＣＣＨ復調用のスクランブリング識別情報は、固定値であることを特徴とする請求項１記載の無線基地局装置。
【請求項３】
前記ユーザ固有パラメータは、ハイヤレイヤシグナリングでユーザ端末に送信されることを特徴とする請求項１又は請求項２記載の無線基地局装置。
【請求項４】
前記ユーザ固有パラメータは、拡張ＰＤＣＣＨ復調用であることを特徴とする請求項１から請求項３のいずれかに記載の無線基地局装置。
【請求項５】
ユーザ固有パラメータ及び前記ユーザ固有パラメータに基づく疑似ランダム系列を用いた復調参照信号系列を受信する受信部と、
前記復調参照信号系列を用いて拡張ＰＤＣＣＨ（Physical  Downlink  Control  Channel）を復調する復調部と、を有し、
前記疑似ランダム系列は、拡張ＰＤＣＣＨ復調用のスクランブリング識別情報に基づくものであることを特徴とするユーザ端末。
【請求項６】
前記拡張ＰＤＣＣＨ復調用のスクランブリング識別情報は、固定値であることを特徴とする請求項５記載のユーザ端末。
【請求項７】
前記ユーザ固有パラメータは、ハイヤレイヤシグナリングでユーザ端末に送信されることを特徴とする請求項５又は請求項６に記載のユーザ端末。
【請求項８】
前記ユーザ固有パラメータは、拡張ＰＤＣＣＨ復調用であることを特徴とする請求項５から請求項７のいずれかに記載のユーザ端末。
【請求項９】
無線基地局装置において、ユーザ固有パラメータに基づく擬似ランダム系列を用いて復調用参照信号系列を生成する工程と、
前記ユーザ固有パラメータ及び前記復調用参照信号系列をユーザ端末に送信する工程と、
前記ユーザ端末において、前記ユーザ固有パラメータ及び前記復調参照信号系列を受信する工程と、前記復調参照信号系列を用いて拡張ＰＤＣＣＨ（Physical  Downlink  Control  Channel）を復調する工程と、を有し、
前記疑似ランダム系列は、拡張ＰＤＣＣＨ復調用のスクランブリング識別情報に基づくものであることを特徴とする無線通信方法。
【請求項１０】
ユーザ固有パラメータに基づく擬似ランダム系列を用いて復調用参照信号系列を生成する生成部と、
前記ユーザ固有パラメータ及び前記復調用参照信号系列をユーザ端末に送信する送信部と、を有する無線基地局装置と、
前記ユーザ固有パラメータ及び前記ユーザ固有パラメータに基づく疑似ランダム系列を用いた復調参照信号系列を受信する受信部と、前記復調参照信号系列を用いて拡張ＰＤＣＣＨ（Physical  Downlink  Control  Channel）を復調する復調部と、を有するユーザ端末と、を具備し、
前記疑似ランダム系列は、拡張ＰＤＣＣＨ復調用のスクランブリング識別情報に基づくものであることを特徴とする無線通信システム。
【発明の詳細な説明】
【技術分野】
【０００１】
本発明は、セルラーシステム等に適用可能な無線通信システム、無線基地局装置、ユーザ端末及び無線通信方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband−Code  Division  Multiple  Access）をベースとしたシステムの特徴を最大限に引き出すことが行われている。このＵＭＴＳネットワークについては、更なる高速データレート、低遅延などを目的としてＬＴＥ（Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。
【０００４】
ところで、ＬＴＥシステムに対してさらにシステム性能を向上させるための有望な技術の１つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（User  Equipment）間で直交化されている。一方、セル間はＷ−ＣＤＭＡと同様、１セル周波数繰り返しによる干渉ランダム化が基本である。
【０００５】
そこで、３ＧＰＰ（３rd  Generation  Partnership  Project）では、セル間直交化を実現するための技術として、協調マルチポイント送受信（ＣｏＭＰ：Coordinated  Multi-Point  transmission/reception）技術が検討されている。このＣｏＭＰ送受信では、１つあるいは複数のユーザ端末ＵＥに対して複数のセルが協調して送受信の信号処理を行う。例えば、下りリンクでは、プリコーディングを適用する複数セル同時送信、協調スケジューリング／ビームフォーミングなどが検討されている。これらのＣｏＭＰ送受信技術の適用により、特にセル端に位置するユーザ端末ＵＥのスループット特性の改善が期待される。
【０００６】
ＣｏＭＰ送受信を適用する環境としては、例えば、無線基地局装置（無線基地局装置ｅＮＢ）に対して光ファイバ等で接続された複数の遠隔無線装置（ＲＲＥ：Remote  Radio  Equipment）とを含む構成（ＲＲＥ構成に基づく集中制御）と、無線基地局装置（無線基地局装置ｅＮＢ）の構成（独立基地局構成に基づく自律分散制御）とがある。ＲＲＥ構成においては、図１に示すように、遠隔無線装置ＲＲＥを無線基地局装置ｅＮＢで集中的に制御する。ＲＲＥ構成では、複数の遠隔無線装置ＲＲＥのベースバンド信号処理及び制御を行う無線基地局装置ｅＮＢ（集中基地局）と各セル（すなわち、各遠隔無線装置ＲＲＥ）との間が光ファイバを用いたベースバンド信号で接続されるため、セル間の無線リソース制御を集中基地局において一括して行うことができる。したがって、ＲＲＥ構成においては、下りリンクでは、複数セル同時送信のような高速なセル間の信号処理を用いる方法が適用できる。図１においては、遠隔無線装置ＲＲＥの送信電力は、無線基地局装置（マクロ基地局）ｅＮＢの送信電力と同程度である（高送信電力ＲＲＥ）。
【０００７】
ＣｏＭＰ送受信を適用する別の環境としては、図２に示すように、無線基地局装置（マクロ基地局）ｅＮＢのカバーエリア内に遠隔無線装置ＲＲＥを複数配置してなるオーバレイ型ネットワーク環境（ヘテロジニアス環境）がある。この環境においては、マクロ基地局ｅＮＢのセルと遠隔無線装置ＲＲＥのセルとが異なる、すなわち、マクロ基地局ｅＮＢのセル識別情報（セルＩＤ）と遠隔無線装置ＲＲＥのセルＩＤとが異なる環境（第１ヘテロジニアス環境）と、マクロ基地局ｅＮＢのセルと遠隔無線装置ＲＲＥのセルとが同じ、すなわち、マクロ基地局ｅＮＢのセルＩＤと遠隔無線装置ＲＲＥのセルＩＤとが同じである環境（第２ヘテロジニアス環境）とがある。図２においては、遠隔無線装置ＲＲＥの送信電力は、無線基地局装置（マクロ基地局）ｅＮＢの送信電力よりも低い（低送信電力ＲＲＥ）。
【先行技術文献】
【非特許文献】
【０００８】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００９】
第２ヘテロジニアス環境は、マクロ基地局ｅＮＢのセルＩＤと遠隔無線装置ＲＲＥのセルＩＤとが同じであるので、ハンドオーバが不要であり、第１ヘテロジニアス環境よりも簡易な制御環境であるといえる。しかしながら、第２ヘテロジニアス環境では、マクロ基地局ｅＮＢのセル（図２における六角形状のセル）と遠隔無線装置ＲＲＥのセル（図２における円形状のセル）との区別がないので、ユーザ端末においてはいずれのセルからの下りリンク信号であるか判別し難く、それにより受信精度が低下するという問題ある。例えば、ユーザ端末において、復調用参照信号やチャネル状態情報用参照信号などの参照信号系列がいずれのセルから送信されたものであるか判別できないと、復調精度やチャネル推定精度が低下してしまうという問題がある。
【００１０】
本発明はかかる点に鑑みてなされたものであり、同じセル識別情報を用いるヘテロジニアス環境においても、ユーザ端末がいずれのセルからの下りリンク信号であるか判別でき、それにより受信精度が維持できる無線通信システム、無線基地局装置、ユーザ端末及び無線通信方法を提供することを目的とする。
【課題を解決するための手段】
【００１１】
本発明の無線通信システムは、ユーザ固有パラメータに基づく擬似ランダム系列を用いて復調用参照信号系列を生成する生成部と、前記ユーザ固有パラメータ及び前記復調用参照信号系列をユーザ端末に送信する送信部と、を有する無線基地局装置と、前記ユーザ固有パラメータ及び前記ユーザ固有パラメータに基づく疑似ランダム系列を用いた復調参照信号系列を受信する受信部と、前記復調参照信号系列を用いて拡張ＰＤＣＣＨ（Physical  Downlink  Control  Channel）を復調する復調部と、を有するユーザ端末と、を具備し、前記疑似ランダム系列は、拡張ＰＤＣＣＨ復調用のスクランブリング識別情報に基づくものであることを特徴とする。
【００１２】
本発明の無線基地局装置は、ユーザ固有パラメータに基づく擬似ランダム系列を用いて復調用参照信号系列を生成する生成部と、前記ユーザ固有パラメータ及び前記復調用参照信号系列をユーザ端末に送信する送信部と、を有し、前記復調用参照信号系列は、拡張ＰＤＣＣＨ（Physical  Downlink  Control  Channel）の復調に用いられ、前記疑似ランダム系列は、拡張ＰＤＣＣＨ復調用のスクランブリング識別情報に基づくものであることを特徴とする。
【００１３】
本発明のユーザ端末装置は、ユーザ固有パラメータ及び前記ユーザ固有パラメータに基づく疑似ランダム系列を用いた復調参照信号系列を受信する受信部と、前記復調参照信号系列を用いて拡張ＰＤＣＣＨ（Physical  Downlink  Control  Channel）を復調する復調部と、を有し、前記疑似ランダム系列は、拡張ＰＤＣＣＨ復調用のスクランブリング識別情報に基づくものであることを特徴とする。
【００１４】
本発明の無線通信方法は、無線基地局装置において、ユーザ固有パラメータに基づく擬似ランダム系列を用いて復調用参照信号系列を生成する工程と、前記ユーザ固有パラメータ及び前記復調用参照信号系列をユーザ端末に送信する工程と、前記ユーザ端末において、前記ユーザ固有パラメータ及び前記復調参照信号系列を受信する工程と、前記復調参照信号系列を用いて拡張ＰＤＣＣＨ（Physical  Downlink  Control  Channel）を復調する工程と、を有し、前記疑似ランダム系列は、拡張ＰＤＣＣＨ復調用のスクランブリング識別情報に基づくものであることを特徴とする。
【発明の効果】
【００１５】
本発明によれば、同じセル識別情報を用いるヘテロジニアス環境においても、ユーザ端末がいずれのセルからの下りリンク信号であるか判別でき、それにより受信精度が維持することができる。
【図面の簡単な説明】
【００１６】
【図１】協調マルチポイント送信を説明するための図である。
【図２】協調マルチポイント送信を説明するための図である。
【図３】協調マルチポイント送信における下りリンクを示す図である。
【図４】拡張ＰＤＣＣＨを説明するための図である。
【図５】無線通信システムのシステム構成を説明するための図である。
【図６】無線基地局装置の全体構成を説明するための図である。
【図７】無線基地局装置のベースバンド処理部に対応した機能ブロック図である。
【図８】ユーザ端末の全体構成を説明するための図である。
【図９】ユーザ端末のベースバンド処理部に対応した機能ブロック図である。
【発明を実施するための形態】
【００１７】
以下、本発明の実施の形態について、添付図面を参照して詳細に説明する。
【００１８】
まず、下りリンクのＣｏＭＰ送信について説明する。下りリンクのＣｏＭＰ送信としては、Coordinated  Scheduling/Coordinated  Beamformingと、Joint  processingとがある。Coordinated  Scheduling/Coordinated  Beamformingは、１つのユーザ端末ＵＥに対して１つのセルからのみ共有データチャネルを送信する方法であり、他セルからの干渉や他セルへの干渉を考慮して周波数／空間領域における無線リソースの割り当てを行う。一方、Joint  processingは、プリコーディングを適用して複数のセルから同時に共有データチャネルを送信する方法であり、１つのユーザ端末ＵＥに対して複数のセルから共有データチャネルを送信するJoint  transmissionと、瞬時に１つのセルを選択し共有データチャネルを送信するDynamic  Point  Selection（ＤＰＳ）とがある。
【００１９】
マクロ基地局ｅＮＢのセルと遠隔無線装置ＲＲＥのセルとが同じ、すなわち、マクロ基地局ｅＮＢのセルＩＤと遠隔無線装置ＲＲＥのセルＩＤとが同じである環境（第２ヘテロジニアス環境）において、上記のようなＣｏＭＰ送信を適用することを考える。この場合において、参照信号系列（例えば、復調用参照信号系列（ＤＭ−ＲＳ系列））を生成すると、マクロ基地局ｅＮＢのセルＩＤと遠隔無線装置ＲＲＥのセルＩＤとが同じであることから、マクロ基地局ｅＮＢと複数の遠隔無線装置ＲＲＥとの間で同一の参照信号系列（ＤＭ−ＲＳ系列）が適用され、同一の無線リソースに参照信号（ＤＭ−ＲＳ）が多重される可能性が高い。
【００２０】
ここで、参照信号系列について説明する。
ＤＭ−ＲＳ系列ｒ（ｍ）は下記式（１）により定義されている（Ｒｅｌｅａｓｅ  １０  ＬＴＥ）。この式（１）に含まれる擬似ランダム系列ｃ（ｉ）は、以下のように初期化される（Ｃinit）。この初期化擬似ランダム系列Ｃinitから分かるように、初期化擬似ランダム系列Ｃinit中にセルＩＤにより異なる項ＮIDcellが含まれている。なお、この擬似ランダム系列ｃ（ｉ）は、３１長ゴールド系列を用いて生成される。また、初期化擬似ランダム系列Ｃinit中には、スクランブリング識別情報（ＳＣＩＤ）が含まれている。このＳＣＩＤは、０，１（各サブフレームの初め）の値をとる。このように、ＤＭ−ＲＳ系列ｒ（ｍ）を生成する際に用いられる擬似ランダム系列は、セルＩＤで異なるように設定されている。
【数１】
0005959830.tif 000002
【００２１】
上記のように、ＤＭ−ＲＳ系列は、セルＩＤにより異なる項を含む擬似ランダム系列を用いて生成されるので、第２ヘテロジニアス環境においては、マクロ基地局ｅＮＢのセルＩＤと遠隔無線装置ＲＲＥのセルＩＤとが同じであることから、マクロ基地局ｅＮＢと複数の遠隔無線装置ＲＲＥとの間で同一のＤＭ−ＲＳ系列が適用され、同一の無線リソースにＤＭ−ＲＳが多重される可能性が高くなる。このような状態では、ユーザ端末がマクロ基地局ｅＮＢからの下りリンク信号であるのか遠隔無線装置ＲＲＥからの下りリンク信号であるのか判別が難しくなってしまう（参照信号の衝突）（図３）。このため、ユーザ端末において信号処理精度が低下する可能性がある。すなわち、ＤＭ−ＲＳの衝突は、ＤＭ−ＲＳのチャネル推定精度やＰＤＳＣＨの復調精度の低下を招く恐れがある。
【００２２】
本発明者は、参照信号系列を生成する際に使用する擬似ランダム系列に、セルＩＤにより異なる項が含まれていることにより、第２ヘテロジニアス環境において参照信号の衝突が起きる可能性が高いことに着目し、参照信号系列を生成する際に使用する擬似ランダム系列に、ユーザ固有情報、例えば、ユーザ識別情報（ＵＥＩＤ）を利用することで第２ヘテロジニアス環境において参照信号の衝突を回避できることを見出した。
【００２３】
一方で、現在、拡張ＰＤＣＣＨ（Physical  Downlink  Control  Channel）と呼ばれる制御チャネルが検討されている。ＰＤＣＣＨはＣＲＳ（Cell-Specific  Reference  Signal）で復調するが、拡張ＰＤＣＣＨはＤＭ−ＲＳで復調する。拡張ＰＤＣＣＨについては、図４Ａに示す時間分割アプローチ、図４Ｂに示す周波数分割アプローチ、図４Ｃに示す時間分割＋周波数分割アプローチがある。
【００２４】
ここで、ＤＭ−ＲＳを用いて拡張ＰＤＣＣＨを復調しようとすると、ＤＭ−ＲＳ系列を生成するための一部情報（例えば、ｎＳＣＩＤ）がユーザ端末において未知であり、まず、ＤＭ−ＲＳ系列を判別しないと、そのＤＭ−ＲＳ系列を用いて拡張ＰＤＣＣＨを復調することができない。
【００２５】
本発明者は、ＤＭ−ＲＳ系列を用いて受信信号を復調する場合に、ユーザ端末においてＤＭ−ＲＳ系列を判別する方法を見出した。すなわち、無線基地局装置において、ユーザ固有パラメータを含む擬似ランダム系列を用いてＤＭ−ＲＳ系列を生成しておき、このユーザ固有パラメータを求めるためのユーザ固有の情報及びＤＭ−ＲＳ系列をユーザ端末に送信し、ユーザ端末において、無線基地局装置から送られたユーザ固有の情報を用いてユーザ固有パラメータを求め、このユーザ固有パラメータを用いた擬似ランダム系列を用いたＤＭ−ＲＳ系列を判別し、判別されたＤＭ−ＲＳ系列を用いて受信信号を復調する。この方法により、ＤＭ−ＲＳ系列を判別することができ、ＤＭ−ＲＳ系列を用いた復調を行うことができる。これにより、同じセル識別情報を用いるヘテロジニアス環境において、ＤＭ−ＲＳ系列を用いて受信信号を復調する場合であっても、ユーザ端末がいずれのセルからの下りリンク信号であるか判別し、それにより受信精度を維持することができる。
【００２６】
本発明においては、ＤＭ−ＲＳ系列を生成する際に使用する擬似ランダム系列に、ユーザ固有情報を利用する。このユーザ固有パラメータを含む擬似ランダム系列としては、以下の４つの系列が考えられる。
【００２７】
（第１系列）
ＤＭ−ＲＳ系列の擬似ランダム系列の第１系列は、下記式（２）に示すように、擬似ランダム系列においてセルＩＤの代わりにユーザ固有パラメータＸを用いた系列である。
【数２】
0005959830.tif 000003
【００２８】
（第２系列）
ＤＭ−ＲＳ系列の擬似ランダム系列の第２系列は、下記式（３）に示すように、擬似ランダム系列においてセルＩＤにユーザ固有パラメータＸを加えた系列である。
【数３】
0005959830.tif 000004
【００２９】
（第３系列）
ＤＭ−ＲＳ系列の擬似ランダム系列の第３系列は、下記式（４）に示すように、擬似ランダム系列においてＳＣＩＤの代わりにユーザ固有パラメータＸを用いた系列である。
【数４】
0005959830.tif 000005
【００３０】
（第４系列）
ＤＭ−ＲＳ系列の擬似ランダム系列の第４系列は、下記式（５）に示すように、擬似ランダム系列においてユーザ固有パラメータＸを加えた系列である。
【数５】
0005959830.tif 000006
【００３１】
ＤＭ−ＲＳ系列の擬似ランダム系列については、ハイヤレイヤシグナリングで無線基地局装置からユーザ端末に通知する別のパラメータＺを含めた擬似ランダム系列であっても良い。このような擬似ランダム系列としては、下記式（６）に示す第５系列、下記式（７）に示す第６系列、下記式（８）に示す第７系列、下記式（９）に示す第８系列が挙げられる。
【数６】
0005959830.tif 000007
【数７】
0005959830.tif 000008
【数８】
0005959830.tif 000009
【数９】
0005959830.tif 000010
【００３２】
上記第１系列から第４系列におけるユーザ固有パラメータＸは、ユーザ端末において未知である。このため、Ｘを無線基地局装置から通知するあるいはユーザ端末において求める必要がある。このような方法としては、以下の３つの方法がある。
【００３３】
（第１方法）
第１方法は、ユーザ固有パラメータＸをユーザ固有のチャネル状態情報用参照信号（ＣＳＩ−ＲＳ）configurationにより決定される値とする方法である。すなわち、第１方法においては、ユーザ固有パラメータがＣＳＩ−ＲＳconfigurationから求められる。ＣＳＩ−ＲＳconfigurationにより決定される値としては、例えば、ＣＳＩ−ＲＳconfiguration番号が挙げられる。このユーザ固有の情報であるＣＳＩ−ＲＳconfiguration番号は、無線基地局装置からハイヤレイヤシグナリングでユーザ端末に通知される。したがって、ユーザ端末においては、ユーザ固有パラメータＸを、無線基地局装置から通知されたＣＳＩ−ＲＳconfiguration番号とする。これにより、擬似ランダム系列が判別されるので、ＤＭ−ＲＳ系列を判別することができる。したがって、ＤＭ−ＲＳ系列を用いて受信信号の復調を行うことができる。
【００３４】
第１方法においては、ＣＳＩ−ＲＳconfiguration番号が複数通知されることが考えられる。この場合には、通知されたすべてのＣＳＩ−ＲＳconfiguration番号をユーザ固有パラメータＸとした、それぞれのＤＭ−ＲＳ系列により受信信号（ＰＤＣＣＨ信号、ＰＤＳＣＨ（Physical  Downlink  Shard  Channel）信号）のブラインド検出を行い、その検出結果に基づいてＤＭ−ＲＳ系列を判別する（復調できたＤＭ−ＲＳ系列を選択する）（第１−１方法）。
【００３５】
あるいは、複数通知されたＣＳＩ−ＲＳconfiguration番号のうち、ＣＳＩ−ＲＳconfigurationを用いて測定した受信品質（例えば受信ＳＩＮＲ（Signal  Interference  plus  Noise  Ratio））が相対的に高いＣＳＩ−ＲＳconfiguration番号をユーザ固有パラメータＸとしたＤＭ−ＲＳ系列を選択し、それらのＤＭ−ＲＳ系列により受信信号（ＰＤＣＣＨ信号、ＰＤＳＣＨ信号）のブラインド検出を行い、その検出結果に基づいてＤＭ−ＲＳ系列を判別する（復調できたＤＭ−ＲＳ系列を選択する）（第１−２方法）。第１−２方法において、ブラインド検出するＤＭ−ＲＳ系列を選択する際には、受信品質が所定の閾値を超えた場合のＣＳＩ−ＲＳconfiguration番号をユーザ固有パラメータＸとしたＤＭ−ＲＳ系列を選択しても良く、受信品質が高い方から予め決められた数のＣＳＩ−ＲＳconfiguration番号をユーザ固有パラメータＸとしたＤＭ−ＲＳ系列を選択しても良い。ただし、第１−２方法において、受信信号のブラインド検出に失敗した場合には、受信品質の低い（選択されなかった）ＣＳＩ−ＲＳconfiguration番号をユーザ固有パラメータＸとしたＤＭ−ＲＳ系列による受信信号のブラインド検出を行っても良い。
【００３６】
（第２方法）
第２方法は、ＸをＣＳＩ−ＲＳ系列に含まれる（ＣＳＩ−ＲＳ系列により導出される）ユーザ固有の情報により決定する方法である。すなわち、第２方法においては、ユーザ固有情報がＣＳＩ−ＲＳ系列に含まれるユーザ固有の情報から求められる。すなわち、ＣＳＩ−ＲＳ系列に含まれるユーザ固有の情報を用いてユーザ固有パラメータＸを決定する。具体的には、下記式（１０）に示すように、擬似ランダム系列においてユーザ固有の項Ｙを加え、この項Ｙを用いてユーザ固有パラメータＸを決定する。
【数１０】
0005959830.tif 000011
【００３７】
このＣＳＩ−ＲＳ系列に含まれるユーザ固有の項Ｙは、無線基地局装置からハイヤレイヤシグナリングでユーザ端末に通知される。したがって、ユーザ端末においては、無線基地局装置から通知されたＹに基づいてユーザ固有パラメータＸを決定する。このユーザ固有のＹにより、ユーザ固有パラメータＸが求められ、これにより擬似ランダム系列が判別されるので、ＤＭ−ＲＳ系列を判別することができる。したがって、ＤＭ−ＲＳ系列を用いて受信信号の復調を行うことができる。
【００３８】
第２方法においては、ユーザ固有のＹが複数通知されることが考えられる。この場合には、通知されたすべてのＹからユーザ固有パラメータＸをそれぞれ求め、それらのユーザ固有パラメータＸを用いたＤＭ−ＲＳ系列により受信信号（ＰＤＣＣＨ信号、ＰＤＳＣＨのブラインド検出を行い、その検出結果に基づいてＤＭ−ＲＳ系列を判別する（復調できたＤＭ−ＲＳ系列を選択する）（第２−１方法）。
【００３９】
あるいは、複数通知されたＹを用いたそれぞれのＣＳＩ−ＲＳ系列を用いて測定した受信品質（例えば受信ＳＩＮＲ）のうちで、受信品質が相対的に高いＣＳＩ−ＲＳ系列のＹから求められたユーザ固有パラメータＸを用いたＤＭ−ＲＳ系列を選択し、それらのＤＭ−ＲＳ系列により受信信号（ＰＤＣＣＨ信号、ＰＤＳＣＨ信号）のブラインド検出を行い、その検出結果に基づいてＤＭ−ＲＳ系列を判別する（復調できたＤＭ−ＲＳ系列を選択する）（第２−２方法）。第２−２方法において、ブラインド検出するＤＭ−ＲＳ系列を選択する際には、受信品質が所定の閾値を超えた場合のＹから求められたユーザ固有パラメータＸを用いたＤＭ−ＲＳ系列を選択しても良く、受信品質が高い方から予め決められた数のＣＳＩ−ＲＳ系列のＹから求められたユーザ固有パラメータＸを用いたＤＭ−ＲＳ系列を選択しても良い。ただし、第２−２方法において、受信信号のブラインド検出に失敗した場合には、受信品質の低い（選択されなかった）ＣＳＩ−ＲＳ系列に対応するＹから求められたユーザ固有パラメータＸを用いたＤＭ−ＲＳ系列による受信信号のブラインド検出を行っても良い。
【００４０】
（第３方法）
第３方法は、ユーザ固有パラメータＸをユーザ固有のＣＳＩ−ＲＳconfiguration及びＣＳＩ−ＲＳ系列に含まれる（ＣＳＩ−ＲＳ系列により導出される）ユーザ固有の情報の組み合わせ（セット）により決定する方法である。すなわち、第３方法においては、ユーザ固有の情報がＣＳＩ−ＲＳconfiguration及びＣＳＩ−ＲＳ系列に含まれるユーザ固有の情報のセットから求められる。すなわち、ＣＳＩ−ＲＳconfiguration及びＣＳＩ−ＲＳ系列に含まれるユーザ固有の情報を用いてユーザ固有パラメータＸを決定する。ＣＳＩ−ＲＳ系列に含まれるユーザ固有の情報については、第２方法で用いた情報と同じである。ＣＳＩ−ＲＳconfigurationとしては、ＣＳＩ−ＲＳconfiguration番号が挙げられる。
【００４１】
例えば、このユーザ固有のＣＳＩ−ＲＳconfiguration番号及びＣＳＩ−ＲＳ系列に含まれるユーザ固有の項Ｙのセットは、無線基地局装置からハイヤレイヤシグナリングでユーザ端末に通知される。したがって、ユーザ端末においては、無線基地局装置から通知されたセットに基づいてユーザ固有パラメータＸを決定する。このユーザ固有のセットにより、ユーザ固有パラメータＸが求められ、これにより擬似ランダム系列が判別されるので、ＤＭ−ＲＳ系列を判別することができる。したがって、ＤＭ−ＲＳ系列を用いて受信信号の復調を行うことができる。
【００４２】
第３方法においては、ユーザ固有のセットが複数通知されることが考えられる。この場合には、通知されたすべてのセットからユーザ固有パラメータＸをそれぞれ求め、それらのユーザ固有パラメータＸを用いたＤＭ−ＲＳ系列により受信信号（ＰＤＣＣＨ信号、ＰＤＳＣＨ信号）のブラインド検出を行い、その検出結果に基づいてＤＭ−ＲＳ系列を判別する（復調できたＤＭ−ＲＳ系列を選択する）（第３−１方法）。
【００４３】
あるいは、複数通知されたセットを用いたそれぞれのＣＳＩ−ＲＳ系列を用いて測定した受信品質（例えば受信ＳＩＮＲ）のうちで、受信品質が相対的に高いセットから求められたユーザ固有パラメータＸを用いたＤＭ−ＲＳ系列を選択し、それらのＤＭ−ＲＳ系列により受信信号（ＰＤＣＣＨ信号、ＰＤＳＣＨ信号）のブラインド検出を行い、その検出結果に基づいてＤＭ−ＲＳ系列を判別する（復調できたＤＭ−ＲＳ系列を選択する）（第３−２方法）。第３−２方法において、ブラインド検出するＤＭ−ＲＳ系列を選択する際には、受信品質が所定の閾値を超えた場合のセットから求められたユーザ固有パラメータＸを用いたＤＭ−ＲＳ系列を選択しても良く、受信品質が高い方から予め決められた数のＣＳＩ−ＲＳ系列のセットから求められたユーザ固有パラメータＸを用いたＤＭ−ＲＳ系列を選択しても良い。ただし、第３−２方法において、受信信号のブラインド検出に失敗した場合には、受信品質の低い（選択されなかった）ＣＳＩ−ＲＳ系列に対応するセットから求められたユーザ固有パラメータＸを用いたＤＭ−ＲＳ系列による受信信号のブラインド検出を行っても良い。
【００４４】
上記第１方法から第３方法は、上記第１系列から第８系列のいずれにも適用することができる。
【００４５】
（第４方法）
上記式（１）の初期化擬似ランダム系列に含まれる項ｎSCID（スクランブリング識別情報）は、下り制御チャネル信号で無線基地局装置からユーザ端末にダイナミックに送信される。上記式（１）の擬似ランダム系列を用いる場合には、項ｎSCIDの値が”０”又は”１”であり、下り制御情報（ＤＣＩ）に１ビットで送信される。この項ｎSCIDがユーザ端末において未知である場合には、擬似ランダム系列が判別できない可能性がある。このため、この項ｎSCIDを予め固定値とする（例えば、ｎSCID＝０）（第４−１方法）か、項ｎSCIDを用いたＤＭ−ＲＳを用いて受信信号（ＰＤＣＣＨ信号、ＰＤＳＣＨ信号）のブラインド検出を行い、その検出結果に基づいてＤＭ−ＲＳ系列を判別する（第４−２方法）。なお、第４方法は、項ｎSCIDを含む第１系列、第２系列及び第４系列の際に適用になる。
【００４６】
上記式（１）に示す擬似ランダム系列を用いてＤＭ−ＲＳ系列を生成すると、図３に示す第２ヘテロジニアス環境では、マクロ基地局ｅＮＢのセルのセルＩＤと、このセルとオーバレイした遠隔無線装置ＲＲＥ（低送信電力装置）のセルのセルＩＤとが同じであるので、ユーザ端末ＵＥ＃１〜＃３で同じＤＭ−ＲＳ系列が使用され、ＤＭ−ＲＳの多重位置が同じになる可能性が高くなるので、ＤＭ−ＲＳの衝突が起こり、ユーザ端末ＵＥでマクロ基地局ｅＮＢからの下りリンク信号か遠隔無線装置ＲＲＥからの下りリンク信号かの判別が難しくなる。これにより、ＤＭ−ＲＳのチャネル推定精度やＰＤＳＣＨの復調精度の低下を招く恐れがある。一方、上記第１系列から第４系列の擬似ランダム系列を用いてＤＭ−ＲＳ系列を生成すると、図３に示す第２ヘテロジニアス環境では、マクロ基地局ｅＮＢのセルのセルＩＤと、このセルとオーバレイした遠隔無線装置ＲＲＥのセルのセルＩＤとが同じであるが、ユーザ端末ＵＥ＃１〜＃３でそれぞれＵＥＩＤが異なるので、ユーザ端末ＵＥ＃１〜＃３で異なるＤＭ−ＲＳ系列が使用され、ＤＭ−ＲＳの多重位置が同じになる可能性が低くなる。このため、ＤＭ−ＲＳの衝突が起らず、ユーザ端末ＵＥでマクロ基地局ｅＮＢからの下りリンク信号か遠隔無線装置ＲＲＥからの下りリンク信号かの判別が容易となる。その結果、ＤＭ−ＲＳのチャネル推定精度やＰＤＳＣＨの復調精度を維持することができる。
【００４７】
特に、本発明においては、ユーザ固有の情報を含めたＤＭ−ＲＳ系列を用い、そのユーザ固有の情報をユーザ端末に通知するので、ユーザ端末においてＤＭ−ＲＳ系列を判別することができ、ＤＭ−ＲＳ系列を用いて受信信号を復調する場合に復調ができないことを防止できる。
【００４８】
以下に、本発明の実施の形態に係る無線通信システムについて詳細に説明する。図５は、本実施の形態に係る無線通信システムのシステム構成の説明図である。この無線通信システムは、無線基地局装置と、無線基地局装置と無線通信するユーザ端末と、を備えている。なお、図５に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良く、４Ｇと呼ばれても良い。
【００４９】
図５に示すように、無線通信システム１は、無線基地局装置２０Ａ，２０Ｂと、この無線基地局装置２０Ａ，２０Ｂと通信する複数の第１、第２のユーザ端末１０Ａ，１０Ｂとを含んで構成されている。無線基地局装置２０Ａ，２０Ｂは、上位局装置３０と接続され、この上位局装置３０は、コアネットワーク４０と接続される。また、無線基地局装置２０Ａ，２０Ｂは、有線接続又は無線接続により相互に接続されている。第１、第２のユーザ端末１０Ａ，１０Ｂは、セルＣ１，Ｃ２において無線基地局装置２０Ａ，２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。なお、セル間では、必要に応じて、複数の無線基地局装置や低送信電力装置によりＣｏＭＰ送信の制御が行われる。
【００５０】
第１、第２のユーザ端末１０Ａ，１０Ｂは、ＬＴＥ端末及びＬＴＥ−Ａ端末を含むが、以下においては、特段の断りがない限り第１、第２のユーザ端末として説明を進める。また、説明の便宜上、無線基地局装置２０Ａ，２０Ｂと無線通信するのは第１、第２のユーザ端末１０Ａ，１０Ｂであるものとして説明するが、より一般的にはユーザ端末も固定端末装置も含むユーザ装置（ＵＥ）でよい。
【００５１】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００５２】
下りリンクの通信チャネルは、第１、第２のユーザ端末１０Ａ，１０Ｂで共有される下りデータチャネルとしてのＰＤＳＣＨと、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００５３】
上りリンクの通信チャネルは、各ユーザ端末で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクの受信品質情報（ＣＱＩ）、ＡＣＫ／ＮＡＣＫなどが伝送される。
【００５４】
図６を参照しながら、本実施の形態に係る無線基地局装置の全体構成について説明する。なお、無線基地局装置２０Ａ，２０Ｂは、同様な構成であるため、無線基地局装置２０として説明する。また、後述する第１、第２のユーザ端末１０Ａ，１０Ｂも、同様な構成であるため、ユーザ端末１０として説明する。無線基地局装置２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより無線基地局装置２０からユーザ端末に送信される送信データは、上位局装置３０から伝送路インターフェース２０６を介してベースバンド信号処理部２０４に入力される。
【００５５】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【００５６】
また、ベースバンド信号処理部２０４は、報知チャネルにより、同一セルに接続するユーザ端末１０に対して、各ユーザ端末１０が無線基地局装置２０との無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【００５７】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。なお、送受信部２０３は、複数セル間の位相差の情報及びＰＭＩを含む上りリンク信号を受信する受信手段、及びユーザ固有情報及びＤＭ−ＲＳ系列をユーザ端末に送信する送信手段を構成する。
【００５８】
一方、上りリンクによりユーザ端末１０から無線基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００５９】
ベースバンド信号処理部２０４は、上りリンクで受信したベースバンド信号に含まれる送信データに対して、ＦＦＴ（Fast  Fourier  Transform）処理、ＩＤＦＴ（Inverse  Discrete  Fourier  Transform）処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００６０】
呼処理部２０５は、通信チャネルの設定や解放等の呼処理や、無線基地局装置２０の状態管理や、無線リソースの管理を行う。
【００６１】
図７は、図６に示す無線基地局装置におけるベースバンド信号処理部の構成を示すブロック図である。ベースバンド信号処理部２０４は、送信データ生成部２０４１と、ＲＳ系列生成部２０４２と、多重部２０４３と、ＩＦＦＴ（Inverse  Fast  Fourier  Transform）部２０４４と、ＣＰ（Cyclic  Prefix）付加部２０４５と、から主に構成されている。
【００６２】
送信データ生成部２０４１は、送信データのシンボル系列に対して誤り訂正符号化、インターリーバを施す。送信データ生成部２０４１は、送信データを誤り訂正符号化・インターリーブした後、送信データ系列（１つのＯＦＤＭシンボルを構成するｎビット）を直並列変換してサブキャリア変調用の複数系列のデータ信号を生成する。複数系列のデータ信号を生成してからインターリーブを施しても良い。送信データ生成部２０４１は、さらに複数系列のデータ信号を並列にサブキャリア変調する。
【００６３】
ＲＳ系列生成部２０４２は、ユーザ固有パラメータを含む擬似ランダム系列を用いてＤＭ−ＲＳ系列を生成する。ＲＳ系列生成部２０４２は、参照信号系列がＤＭ−ＲＳ系列である場合には、上記式（２）から式（９）に示す第１系列から第８系列のいずれかの擬似ランダム系列を用いたＤＭ−ＲＳ系列でＤＭ−ＲＳを生成する。また、ＲＳ系列生成部２０４２は、ＣＳＩ−ＲＳ系列を生成する。特に、ＲＳ系列生成部２０４２は、第２方法及び第３方法においては、例えば、上記式（６）に示す擬似ランダム系列を用いてＣＳＩ−ＲＳ系列を生成する。
【００６４】
多重部２０４３は、送信データとＲＳとを無線リソースに多重する。ＩＦＦＴ部２０４４は、送信データとＲＳとがサブキャリアマッピングされた周波数領域の送信信号（サブキャリア信号）を逆高速フーリエ変換する。逆高速フーリエ変換によってサブキャリアに割り当てられた周波数成分の信号が時間成分の信号列に変換される。その後、ＣＰ付加部２０４５でサイクリックプレフィックスが付加される。
【００６５】
無線基地局装置２０は、ユーザ固有パラメータを求めるためのユーザ固有の情報、すなわち、第１方法ではＣＳＩ−ＲＳconfiguration情報（例えば、ＣＳＩ−ＲＳconfiguration番号）、第２方法ではＣＳＩ−ＲＳ系列に含まれるユーザ固有の情報（擬似ランダム系列に含まれる情報）、第３方法ではＣＳＩ−ＲＳconfiguration情報及びＣＳＩ−ＲＳ系列に含まれるユーザ固有の情報のセットを、ハイヤレイヤシグナリング（例えば、ＲＲＣシグナリング）でユーザ端末にセミスタティックに通知（送信）する。
【００６６】
次に、図８を参照しながら、本実施の形態に係るユーザ端末の全体構成について説明する。ＬＴＥ端末もＬＴＥ-Ａ端末もハードウエアの主要部構成は同じであるので、区別せずに説明する。ユーザ端末１０は、送受信アンテナ１０１と、アンプ部１０２と、送受信部（受信部）１０３と、ベースバンド信号処理部１０４と、アプリケーション部１０５とを備えている。
【００６７】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００６８】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ（Discrete  Fourier  Transform）処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。なお、送受信部１０３は、下りリンク信号を受信する受信手段を構成する。
【００６９】
図９は、図８に示すユーザ端末におけるベースバンド信号処理部の構成を示すブロック図である。ベースバンド信号処理部１０４は、ＣＰ除去部１０４１と、ＦＦＴ部１０４２と、分離部１０４３と、判別部１０４４と、復調部１０４５と、フィードバック情報生成部１０４６と、品質測定部１０４７と、から主に構成されている。
【００７０】
ＣＰ除去部１０４１は、受信信号からサイクリックフレフィックスを除去する。ＦＦＴ部１０４２は、ＣＰ除去された受信信号を高速フーリエ変換して時系列の信号成分を周波数成分の列に変換する。分離部１０４３は、受信信号をサブキャリアデマッピングして、ＲＳ、共有チャネル信号（データ信号）を分離する。ＤＭ−ＲＳは、判別部１０４４に出力される。
【００７１】
判別部１０４４は、無線基地局装置２０から送信されたユーザ固有の情報を用いてユーザ固有パラメータを求め、このユーザ固有パラメータを用いた擬似ランダム系列を用いたＤＭ−ＲＳ系列を判別する。判別部１０４４には、無線基地局装置から通知されたユーザ固有の情報が入力されるので、ユーザ固有の情報からユーザ固有パラメータを決定し、そのユーザ固有パラメータを用いて擬似ランダム系列を作り、その擬似ランダム系列を用いてＤＭ−ＲＳ系列を求める。このＤＭ−ＲＳ系列は、ユーザ固有の系列であるので、ＤＭ−ＲＳ系列が判別されることになる。また、判別部１０４４は、第１方法から第４方法において、ブラインド検出する場合には、そのブラインド検出の結果を含めてＤＭ−ＲＳ系列を判別する。判別されたＤＭ−ＲＳ系列は、復調部１０４５に出力される。また、判別部１０４４は、上記第１−２方法、第２−２方法、第３−２方法においては、受信品質に基づいてブラインド検出するＤＭ−ＲＳ系列を選択する。
【００７２】
ここで、ユーザ固有の情報は、第１方法ではＣＳＩ−ＲＳconfiguration情報（例えば、ＣＳＩ−ＲＳconfiguration番号）であり、第２方法ではＣＳＩ−ＲＳ系列に含まれるユーザ固有の情報（擬似ランダム系列に含まれる情報）であり、第３方法ではＣＳＩ−ＲＳconfiguration情報及びＣＳＩ−ＲＳ系列に含まれるユーザ固有の情報のセットである。また、第５系列から第８系列については、ユーザ固有の情報としてＺも用いられる。
【００７３】
復調部１０４５は、判別部１０４４で判別されたＤＭ−ＲＳ系列を用いてチャネル推定し、得られたチャネル推定値を用いて受信信号（ＰＤＣＣＨ信号、ＰＤＳＣＨ信号）を復調する。復調部１０４５は、第１方法から第４方法において、ブラインド検出する場合には、そのブラインド検出の結果を判別部１０４４にフィードバックする。
【００７４】
品質測定部１０４７は、ＣＳＩ−ＲＳを用いて受信品質（例えば、ＳＩＮＲ）を測定する。品質測定部１０４７は、測定された受信品質をフィードバック情報生成部１０４６に出力する。また、品質測定部１０４７は、上記第１−２方法、第２−２方法、第３−２方法においては、測定された受信品質を判別部１０４４にフィードバックする。
【００７５】
フィードバック情報生成部１０４６は、品質測定値に基づいてＣＳＩ（フィードバック情報）を生成する。ＣＳＩとしては、セル毎ＣＳＩ（ＰＭＩ、ＣＤＩ、ＣＱＩ）、セル間ＣＳＩ（位相差情報、振幅差情報）、ＲＩ（Rank  Indicator）などが挙げられる。これらのＣＳＩは、ＰＵＣＣＨやＰＵＳＣＨで無線基地局装置にフィードバックされる。
【００７６】
上記構成を有する無線通信システムにおいては、まず、無線基地局装置のＲＳ系列生成部２０４２において、ユーザ固有パラメータを含む擬似ランダム系列を用いてＤＭ−ＲＳ系列を生成する。このＤＭ−ＲＳ系列をユーザ端末に送信する。また、無線基地局装置２０は、ユーザ固有パラメータを求めるためのユーザ固有の情報、すなわち、第１方法ではＣＳＩ−ＲＳconfiguration情報（例えば、ＣＳＩ−ＲＳconfiguration番号）、第２方法ではＣＳＩ−ＲＳ系列に含まれるユーザ固有の情報（擬似ランダム系列に含まれる情報）、第３方法ではＣＳＩ−ＲＳconfiguration情報及びＣＳＩ−ＲＳ系列に含まれるユーザ固有の情報のセットを、ハイヤレイヤシグナリング（例えば、ＲＲＣシグナリング）でユーザ端末にセミスタティックに通知（送信）する。
【００７７】
次いで、ユーザ端末の判別部１０４４において、無線基地局装置２０から送信されたユーザ固有の情報を用いてユーザ固有パラメータを求め、このユーザ固有パラメータを用いた擬似ランダム系列を用いたＤＭ−ＲＳ系列を判別する。ユーザ固有の情報は、第１方法ではＣＳＩ−ＲＳconfiguration情報（例えば、ＣＳＩ−ＲＳconfiguration番号）であり、第２方法ではＣＳＩ−ＲＳ系列に含まれるユーザ固有の情報（擬似ランダム系列に含まれる情報）であり、第３方法ではＣＳＩ−ＲＳconfiguration情報及びＣＳＩ−ＲＳ系列に含まれるユーザ固有の情報のセットである。また、第５系列から第８系列については、擬似ランダム系列における項Ｚもユーザ固有の情報として用いられる。また、第１方法から第４方法において、ブラインド検出する場合には、そのブラインド検出の結果を判別部１０４４にフィードバックし、判別部１０４４において、ブラインド検出結果を考慮してＤＭ−ＲＳ系列を判別する。さらに、第１−２方法、第２−２方法、第３−２方法においては、測定された受信品質を判別部１０４４にフィードバックし、判別部１０４４において、受信品質を考慮してブラインド検出するＤＭ−ＲＳ系列を選択する。各ユーザ端末においては、このようにして判別されたＤＭ−ＲＳ系列を用いて復調部１０４５でデータを復調する。
【００７８】
このような制御において、上記式（２）〜（９）に示す擬似ランダム系列を用いて生成されたＤＭ−ＲＳ系列を用いると、第２ヘテロジニアス環境では、マクロ基地局ｅＮＢのセルのセルＩＤと、このセルとオーバレイした遠隔無線装置ＲＲＥのセルのセルＩＤとが同じであるが、各ユーザ端末ＵＥでそれぞれＵＥＩＤが異なるので、各ユーザ端末ＵＥで異なるＤＭ−ＲＳ系列又はＣＳＩ−ＲＳ系列が使用され、ＤＭ−ＲＳ又はＣＳＩ−ＲＳの多重位置が同じになる可能性が低くなる。このため、ＤＭ−ＲＳ又はＣＳＩ−ＲＳの衝突が起らず、ユーザ端末ＵＥでマクロ基地局ｅＮＢからの下りリンク信号か遠隔無線装置ＲＲＥからの下りリンク信号かの判別が容易となる。その結果、ＤＭ−ＲＳ又はＣＳＩ−ＲＳのチャネル推定精度、ＰＤＳＣＨの復調精度、ＣＳＩ精度を維持することができる。また、ユーザ固有の情報を含めたＤＭ−ＲＳ系列を用い、そのユーザ固有の情報をユーザ端末に通知するので、ユーザ端末においてＤＭ−ＲＳ系列を判別することができ、ＤＭ−ＲＳ系列を用いて受信信号を復調する場合に復調ができないことを防止できる。
【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８０】
１  無線通信システム
１０  ユーザ端末
２０  無線基地局装置
３０  上位局装置
４０  コアネットワーク
１０１  送受信アンテナ
１０２  アンプ部
１０３  送受信部（受信部）
１０４  ベースバンド信号処理部
１０５  アプリケーション部
２０１  送受信アンテナ
２０２  アンプ部
２０３  送受信部（通知部）
２０４  ベースバンド信号処理部
２０５  呼処理部
２０６  伝送路インターフェース
１０４１  ＣＰ除去部
１０４２  ＦＦＴ部
１０４３  分離部
１０４４  判別部
１０４５  復調部
１０４６  フィードバック情報生成部
１０４７  品質測定部
２０４１  送信データ生成部
２０４２  ＲＳ系列生成部
２０４３  多重部
２０４４  ＩＦＦＴ部
２０４５  ＣＰ付加部
【図１】
0005959830.tif 000012
【図２】
0005959830.tif 000013
【図３】
0005959830.tif 000014
【図４】
0005959830.tif 000015
【図５】
0005959830.tif 000016
【図６】
0005959830.tif 000017
【図７】
0005959830.tif 000018
【図８】
0005959830.tif 000019
【図９】
0005959830.tif 000020